(57)【要約】      （修正有）【課題】一つの工程で印刷、打ち抜き、貼り加工までできる構造の箱で、取っ手を水平に倒して段積することが可能なキャリーカートンを提供する。【解決手段】角筒状本体の上面には２組の上蓋フラップ１０，１２、１１，１３を連設するとともに、相対する一方の上蓋フラップ１０，１２には、フラップ上端に連設線方向に延びる２本の切込みと、連設線と平行な折線とにより上面閉塞時に起立して合掌する取っ手を一体に形成する。取っ手の根元にはロック溝を形成し、他方の対となる上蓋フラップにはロック溝に係合する差込溝を形成する。上蓋フラップは前記取っ手の付け根の連設線に平行な折り目線で折り曲げできるように構成し、先に閉じて先端側の折り目線で起立し合掌する取っ手の付け根の切り溝に、前記上蓋フラップを押し込むことで取っ手をロックし、カートンの保管、運送時には合掌させた状態の取っ手を水平に折り曲げて倒すことができる。【選択図】図１
0003146575.tif 000002
【実用新案登録請求の範囲】
【請求項１】
一対の長辺側対向側板と、同じく一対の短辺側対向側板とで角筒状構造の本体を形成し、この本体底面に４枚の差込ロックまたは自動ロックのできる底板フラップを連設し、本体の上面には２組の上蓋フラップを連設するとともに、相対する一方の上蓋フラップには、フラップ上端に連設線方向に延びる２本の切込みを設け、連設線と平行な折線とにより上面閉塞時に起立して合掌する取っ手を一体に形成し、かつ前記取っ手の根元に前記連設線と平行な折線に連続するロック溝を形成し、他方の対となる上蓋フラップには該フラップの連設線よりに該連設線に平行な折線と、前記取っ手の根元部のロック溝に係合する差込溝を形成してなり、
先に閉じて先端側の折り目線で起立し合掌する取っ手の付け根のロック溝に差込溝を係合させて上蓋フラップをロックし、カートンの保管、運送時には合掌させた状態の取っ手を水平に折り曲げて倒すことができるように構成したことを特徴とする積み重ね可能のキャリーカートン。
【請求項２】
取っ手を一体に有する上蓋フラップ（１０，１２）に前記取っ手の付け根と側板との間で重ね合せる延長部（１０ａ）を形成したことを特徴とする請求項１に記載の積み重ね可能のキャリーカートン。
【考案の詳細な説明】
【技術分野】
【０００１】
本考案は、上面に取っ手を形成したキャリーカートンに関するものであって、特に取っ手を水平状に折り曲げることにより段積みを可能にしたキャリーカートンに関するものである。
【背景技術】
【０００２】
従来より、商品収納後のカートンを持ち帰える際に、カートンの一部に設けた取っ手を立ち上げて、持ち運びに便利な取っ手を形成したキャリーカートンは知られている。従来のキャリーカートンは、例えば図８にも示されるように、カートン３０の上面蓋片３２に取っ手３３を設け、カートンの側壁３４から延長したサイドフラップ３５に溝孔３６を形成して、この溝孔に取っ手３３を差し込むことにより取っ手を保持する構成であった。しかし、このカートンを積み重ねると不安定で積み上げができないという、使用上の問題があった。
そこで、この種のキャリーカートンを多段に積み重ねられるように、取っ手をカートンの内部に陥没させたもの（特許文献１）等が従来提案されている。
【０００３】
【特許文献１】特開２０００−３３５５３３号公報
【考案の開示】
【考案が解決しようとする課題】
【０００４】
しかし、取っ手を水平に倒したり、陥没させたりして取っ手が出っ張らないようにしてカートンを積み重ねできるキャリーカートンは、工場製造時に、印刷、抜き、貼りの３工程が別々に行われるので、生産性が悪いという問題があった。
【０００５】
そこで本考案は、上記従来の課題を改善することを目的としてＦＦＧ（フレキソフォルダグルアflexo folder gluer の略）を使用して、該機械の１工程で印刷、打ち抜き、貼り加工までを連続的に行うことができるキャリーカートンを提案するものである。
【課題を解決するための手段】
【０００６】
上記課題を解決するため、本考案の包装カートンは、一対の長辺側対向側板と、同じく一対の短辺側対向側板とで角筒状構造の本体を形成し、この本体底面に４枚の差込ロックまたは自動ロックのできる底板フラップを連設し、本体の上面には２組の上蓋フラップを連設するとともに、相対する一方の上蓋フラップには、フラップ上端に連設線方向に延びる２本の切込みを設け、連設線と平行な折線とにより上面閉塞時に起立して合掌する取っ手を一体に形成し、かつ前記取っ手の根元に前記連設線と平行な折線に連続するロック溝を形成し、他方の対となる上蓋フラップには該フラップの連設線よりに該連設線に平行な折線と、前記取っ手の根元部のロック溝に係合する差込溝を形成してなり、先に閉じて先端側の折り目線で起立し合掌する取っ手の付け根のロック溝に差込溝を係合させて上蓋フラップをロックし、カートンの保管、運送時には合掌させた状態の取っ手を水平に折り曲げて倒すことができるように構成したことを特徴とする積み重ね可能のキャリーカートンである。
【０００７】
又本考案は、取っ手を一体に有する上蓋フラップに前記取っ手の付け根と側板との間で重ね合せる延長部を形成したことを特徴とする積み重ね可能のキャリーカートンである。
【考案の効果】
【０００８】
本考案のカートンは、取っ手の部分を水平に折りたたむことができるので、カートンの上面を平坦にして保管、運送時に積み重ねが行えるものである。また、このカートンは印刷、打ち抜き、貼り加工までを１工程で生産できるものである。
【考案を実施するための最良の形態】
【０００９】
図１は、展開図であり、段ボール等の厚紙によって形成されている。図１に示すように、四角筒形の本体を形成する二組の対向する側板１、３、２、４が折線イを介して連設され、一端に連設した糊代片５によって四角筒形に組立てられるようになっている。
【００１０】
上記四角筒形の本体を形成する対向する２組の側板１、３、２、４の下端縁には、本体の底部を閉塞するための二組の底板フラップ６，７，８，９が折線ロを介して連設されている。
【００１１】
なお実施例に示した対向する一方の底板フラップ６，８には、コ字形または逆コ字形をしたスリット１４ａ、１４ｂが形成され、他方の底板フラップ７，９にはその連設線と平行に折り目１５と前記スリットに差し込むことができる差込片１６ａ，１６ｂが形成されている。底組立て時にはスリット１４ａ、１４ｂに差込片１６ａ，１６ｂを差し込みロックして使用する。
なお本体の底部の封緘方法は、この実施例のロック方式のボトムに限るものではなく、図示は省略するが、従来から自動ロックとして知られる例えばアメリカンロックとかオートボトムを採用することも可能である。
【００１２】
キャリー本体を形成する対向する２組の側板１、３、２、４の上端縁には本体の上面を閉塞できる二組の上蓋フラップ１０，１２，１１，１３が折線ハを介して連設されている。すなわち上蓋フラップ１０，１２は、カートン上面を閉じられ、かつフラップの先端相互が重なり合うような長さに形成されている。より具体的に述べると、上蓋フラップ１０，１２の上端側の中央に、連設線ハの方向に２本の切込み１７ａ，１７ｂと連設線ハに平行な折線１７ｃを設けることにより、上面の閉塞時に起立して合掌する取っ手１８を一体に設ける。この取っ手１８には手を入れてカートンを把持することができる透かし孔１８ａが形成されている。
また、取っ手１８の根元には切り込み１７ａ，１７ｂと連設線ハに平行な折線１７ｃとに連続するロック溝１９を形成する。
【００１３】
他方の対となる上蓋フラップ１１，１３は、フラップの先端が突合せとなる長さに形成されている。またフラップの連設線よりに平行な折れ線２０を設け、かつ該フラップの先端部中央に、前記取っ手の根元のロック溝１９に係合する差込溝２１を形成したものとなっている。
【００１４】
この考案のキャリーカートンは、上記のような形態であり商品を持ち帰る際には、次のようにして、取っ手部を組立てることができる。
まず定法に従い、底を組み立てロックした四角筒形の本体（図２参照）に商品を収容した後、一対の上蓋フラップ１０，１２を閉じ、この一対の上蓋フラップ１０、１２の上面に於いて起立し合掌するように取っ手１８、１８を立ち上げる（図３参照）。続いて他方の一対の上蓋フラップ１１，１３を平行な折れ線２０によりＬ型に折り曲げながら、取っ手１８、１８の根元で突き合わせるべく、斜め横方向から該フラップの先端中央の差込溝２１を取っ手１８の根元のロック溝１９に挿入する（図４参照）。
このようにしたときは、取っ手１８、１８は上蓋フラップ１１，１３で完全にロックされるのである。従って、他方の上蓋フラップ１０，１２も完全にロックされることとなり、図５に示すように、取っ手１８には透かし孔１８ａが形成されているから、ここに手を入れてカートンを把持することができる手提げ付きの包装カートンが完成する
【００１５】
そして、カートンの保管、運送時には合掌状態の取っ手を水平に折り曲げて倒すことができるから、合掌させた取っ手を開き、図６に示すように、水平に折りたたむことができるので、カートンの上面を平坦にして保管、運送時に積み重ねが行えるものである（図７）。また、ＦＦＧにより１工程で生産コストの安いキャリーカートンを提供できる。
【図面の簡単な説明】
【００１６】
【図１】この考案のキャリーカートンの一形態を示す展開図。
【図２】キャリーカートンの底部の形態を示す斜視図。
【図３】キャリーカートンの上蓋フラップを組み立てる途中の状態の斜視図。
【図４】キャリーカートンの上部に取っ手を起立させた状態の斜視図。
【図５】キャリーカートンの取っ手の根元に、上蓋フラップを差し込んだ状態の断面図。
【図６】取っ手を折り曲げた状態を示す斜視図。
【図７】取っ手を折り曲げて箱を段積した状態の斜視図。
【図８】従来例を示す斜視図。
【符号の説明】
【００１７】
１、２、３、４  側板
６、７、８、９  底板フラップ
１０、１１、１２，１３  上蓋フラップ
１４ａ、１４ｂ  スリット
１５  折り目
１６ａ、１６ｂ  差込片
１７ａ、１７ｂ  切込み
１７ｃ  折線
１８  取っ手
１８ａ  透かし孔
１９  ロック溝
２０  折線
２１  差込溝
【図１】
0003146575.tif 000003
【図２】
0003146575.tif 000004
【図３】
0003146575.tif 000005
【図４】
0003146575.tif 000006
【図５】
0003146575.tif 000007
【図６】
0003146575.tif 000008
【図７】
0003146575.tif 000009
【図８】
0003146575.tif 000010